(57)【要約】【課題】照明システムにおいて、製造コストを抑えつつ複数の照明器具を複数種類の周囲環境に応じて点灯制御できるようにする。【解決手段】照明システム１は、複数の照明器具３の各々に対して複数のグループのいずれかに割り付けるグループ割付信号を送信するリモコン４と、周囲環境検出機能を有した複数種類のプラグインセンサ５と備える。各グループ内の１台の照明器具３に、各グループに予めユーザが設定しようとするものに対応した点灯設定情報を有するプラグインセンサ５が取り付けられると、そのプラグインセンサ５による検出情報及び点灯設定情報は同じグループ内の他の照明器具３に送信される。このため、プラグインセンサ５を全照明器具に取り付ける必要がなく、製造コストを抑えることができる。しかも、複数の照明器具３をグループ毎に異なる複数種類の周囲環境に応じて点灯制御することができる。【選択図】図１
2009238527.tif 000002
【特許請求の範囲】
【請求項１】
複数の照明器具を備えた照明システムにおいて、
前記照明器具の各々に対して複数のグループのいずれかに割り付けるためのグループ割付信号を送信するリモコンと、
前記照明器具の周囲環境検出機能を有し、かつその検出情報に応じた点灯動作を照明器具に設定する点灯設定情報を記憶させた複数種類のプラグインセンサと、を備え、
前記複数の照明器具は互いに通信線で接続されており、
前記プラグインセンサは、同じグループに割り付けられた照明器具のうちの少なくとも１台に、当該グループに対応する点灯設定情報を記憶する種類のものが取り付けられ、
前記プラグインセンサが取り付けられた照明器具は、該プラグインセンサが記憶している点灯設定情報と該プラグインセンサによる検出情報とを同じグループ内の他の照明器具に前記通信線を介して送信することを特徴とする照明システム。
【発明の詳細な説明】
【技術分野】
【０００１】
本発明は、複数の照明器具を備えた照明システムに関する。
【背景技術】
【０００２】
従来から、複数の照明器具をグループ分けして、同じグループ内では同じでグループ毎に異なるアドレス情報を各照明器具に記憶させ、グループ毎の点灯制御を可能とした照明システムが知られている（例えば、特許文献１参照）。この照明システムにおいて、アドレス情報はリモコン操作により設定又は変更可能であり、簡単な作業で照明器具のグループ設定又は変更を行える。
【０００３】
ところで、照明器具の光出力は器具の周囲環境、例えば人の有無又は明るさに合わせて制御されることが好ましい。この場合、人検出センサ又は明るさ検出センサ等の周囲環境検出センサが必要となる。一般的に、周囲環境検出センサは各照明器具に設けられるので、複数の照明器具を備えた照明システムでは、システム全体の製造コストが増加する虞がある。特許文献１に示されたような照明システムは、周囲環境検出センサを有しておらず、複数の照明器具を複数種類の周囲環境に応じて点灯制御することはできず、上記の製造コストの問題も解決できない。
【特許文献１】特開２０００−４８９６８号公報
【発明の開示】
【発明が解決しようとする課題】
【０００４】
本発明は、上記の従来の問題を解決するためになされたものであり、製造コストを抑えつつ複数の照明器具を複数種類の周囲環境に応じて点灯制御できる照明システムを提供することを目的とする。
【課題を解決するための手段】
【０００５】
上記目的を達成するために請求項１の発明は、複数の照明器具を備えた照明システムにおいて、前記照明器具の各々に対して複数のグループのいずれかに割り付けるためのグループ割付信号を送信するリモコンと、前記照明器具の周囲環境検出機能を有し、かつその検出情報に応じた点灯動作を照明器具に設定する点灯設定情報を記憶させた複数種類のプラグインセンサと、を備え、前記複数の照明器具は互いに通信線で接続されており、前記プラグインセンサは、同じグループに割り付けられた照明器具のうちの少なくとも１台に、当該グループに対応する点灯設定情報を記憶する種類のものが取り付けられ、前記プラグインセンサが取り付けられた照明器具は、該プラグインセンサが記憶している点灯設定情報と該プラグインセンサによる検出情報とを同じグループ内の他の照明器具に前記通信線を介して送信するものである。
【発明の効果】
【０００６】
請求項１の発明によれば、各グループ内の少なくとも１台の照明器具に、各グループに予めユーザが設定しようとするものに対応した点灯設定情報を有するプラグインセンサが取り付けられると、そのプラグインセンサによる検出情報及び点灯設定情報は同じグループ内の他の照明器具に送信される。このため、プラグインセンサを全照明器具に取り付ける必要がなく、製造コストを抑えることができる。しかも、複数の照明器具をグループ毎に異なる複数種類の周囲環境に応じて点灯制御することができる。
【発明を実施するための最良の形態】
【０００７】
以下、本発明の一実施形態に係る照明システムについて図面を参照して説明する。まず、その構成について図１〜図４（ａ）（ｂ）を参照して説明する。図１は、本実施形態の照明システムの構成を示す。この照明システム１は、互いに通信線２で例えばバス型に接続された複数の照明器具３と、照明器具３の各々に対して複数のグループのいずれかに割り付けるためのグループ割付信号を送信するリモコン４と、照明器具３の周囲環境検出機能を有する複数種類のプラグインセンサ５とを備える。照明器具３はグループ割付信号により複数のグループに分けられ、各グループに複数台ずつ配属される。プラグインセンサ５は、その検出情報に応じた点灯動作を照明器具３に設定する点灯設定情報を記憶している。プラグインセンサ５は、同じグループに割り付けられた照明器具３のうちの少なくとも１台に、例えば同図ではグループＧ１、Ｇ２の各々の中の少なくとも１台に、当該グループに対応する点灯設定情報を記憶する種類のものが取り付けられる。照明システム１は照明器具３に電力線６を介して給電する商用交流電源７をさらに備える。
【０００８】
図２は、照明器具３、リモコン４及びプラグインセンサ５の各々の構成を示す。照明器具３は、光源３０と、光源３０を点灯させる点灯回路３１と、点灯回路３１を制御することで光源３０を点灯制御する制御部３２と、リモコン４から無線信号として送信されるグループ割付信号を受信する無線受信部３３と、通信線２を介して他の照明器具３との間で各種情報を送受信する通信Ｉ／Ｆ（Interface）部３４と、各種情報が格納される記憶部３５と、を備える。また、照明器具３は、プラグインセンサ５から各種情報を受信するセンサ用通信Ｉ／Ｆ部３６と、商用交流電源７から電力線６を介して受電して各部に給電する電源部３７と、を備える。
【０００９】
光源３０は、ＬＥＤ、蛍光灯、高輝度放電灯又は電球等で構成することができる。点灯回路３１は、制御部３２からの制御信号に基づいて光源３０を点灯、消灯又は調光させる。
【００１０】
制御部３２は、マイクロプロセッサ又はロジックＩＣ等（以下、マイクロプロセッサ等という）で構成される。制御部３２は、無線受信部３３、通信Ｉ／Ｆ部３４又はセンサ用通信Ｉ／Ｆ部３６により受信した、リモコン４、他の照明器具３又はプラグインセンサ５からの各種情報に基づいて光源３０を点灯制御する。また、制御部３２は、プラグインセンサ５が取付けられたとき、それから送出される各種情報を通信Ｉ／Ｆ部３４を用いて他の照明器具３へ送出する。さらに、制御部３２は、記憶部３５に対する各種情報の格納及び読み出しも行う。
【００１１】
無線受信部３３は、リモコン４からの無線信号の種類に合わせて赤外線受光ＩＣ又はＲＦ電波無線モジュール等を含む無線受信回路で構成され、受信した信号を制御部３２に送出する。通信Ｉ／Ｆ部３４は、ＲＳ４８５等に準拠した２線式シリアル通信回路で構成され、これに合わせて通信線２としてはシリアル通信用ケーブルが用いられる。
【００１２】
記憶部３５には、プラグインセンサ５の種類すなわちセンサタイプに対応し各種のプラグインセンサ５による検出情報に応じて光源３０を点灯動作させる複数種類の制御プログラムが予め格納されている。これらの制御プログラムには、例えば、プラグインセンサ５に含まれる人検出プラグによる人検出時には光源３０を点灯させ、人非検出時には光源３０を消灯させる制御プログラムと、同じくプラグインセンサ５に含まれる明るさ検出プラグによる明るさ検出情報に基づき明るさが外光の光量に拘らず一定となるように光源３０を調光制御する制御プログラムが含まれる。記憶部３５は、フラッシュメモリ、ＲＯＭ、ＲＡＭ又はＥＥＰＲＯＭ等（以下、各種メモリと総称する）で構成することができる。センサ用通信Ｉ／Ｆ部３６は、通信Ｉ／Ｆ部３４と同種の通信回路構成を有し、プラグインセンサ５が取り付けられ、電源部３７から駆動用電力をプラグインセンサ５に供給する。
【００１３】
リモコン４は、ユーザにより操作されるボタン等から成る操作部４０と、ユーザによる操作部４０の操作に基づき、グループＩＤを含むグループ割付信号を生成する制御部４１と、その生成されたグループ割付信号を照明器具３に無線送信する無線送信部４２とを備える。制御部４１はマイクロプロセッサ等で構成できる。無線送信部４２は、赤外線受光ＩＣ又はＲＦ電波無線モジュール等を含む無線送信回路で構成できる。
【００１４】
プラグインセンサ５は、周囲環境検出センサ５０と、プラグインセンサ５のセンサタイプ情報Ｄ１を予め記憶させた各種メモリで構成される記憶部５１と、照明器具３に各種情報を送信可能な通信Ｉ／Ｆ部５２と、通信Ｉ／Ｆ部５２を制御して、周囲環境検出センサ５０による検出情報とセンサタイプ情報Ｄ１とを照明器具３に送信する制御部５３と、を備える。センサタイプ情報Ｄ１は、周囲環境検出センサ５０による検出情報に応じた点灯動作を照明器具３に設定するための情報である（点灯設定情報）。通信Ｉ／Ｆ部５２は照明器具３のセンサ用通信Ｉ／Ｆ部３６と同種の通信回路構成を有し、制御部５３はマイクロプロセッサ等で構成できる。
【００１５】
プラグインセンサ５の例としては、図３（ａ）に示される、周囲環境検出センサ５０として人感センサ５０Ａを備えた人検出プラグ５Ａが在る。人感センサ５０Ａは、焦点素子等を含むＰＩＲ（Passive  Infrared  Ray）センサ等で構成される。人検出プラグ５Ａの記憶部５１には、自プラグが人検出プラグであることを示すセンサタイプ情報Ｄ２が納められている。プラグインセンサ５の他の例としては、図３（ｂ）に示される、周囲環境検出センサ５０として明るさセンサ５０Ｂを備えた明るさ検出プラグ５Ｂが在る。明るさセンサ５０Ｂはフォトダイオード等を含む。明るさ検出プラグ５Ａの記憶部５１には、自プラグが明るさ検出プラグであることを示すセンサタイプ情報Ｄ３が納められている。
【００１６】
図４（ａ）は、プラグインセンサ５が取り付けられた照明器具３を示す。照明器具３のセンサ用通信Ｉ／Ｆ部３６は、光源３０周辺に設置されたプラグ取付具３６ａを有し、プラグインセンサ５はプラグ取付具３６ａに取り付けられて、光源３０による光照射方向の周囲環境変化を検出できる位置に配置される。図４（ｂ）に示されるように、プラグ取付具３６ａは、プラグインセンサ５のオス型の接続端子５ａが差し込まれるメス型の接続端子３６ｂを有する。プラグ取付具３６ａは、プラグインセンサ５を着脱自在とし、人検出プラグ５Ａと明るさ検出プラグ５Ｂとを取替え自在とする。
【００１７】
次に、照明システム１の動作について、上述の図２に加え、図５〜図８を参照して説明する。図５は、初期設定としてリモコン４からグループＩＤが照明器具３に１台ずつ設定される様子を示す。リモコン４は、ユーザによる操作に基づいて、グループＩＤを含むグループ割付信号を送出し、照明器具３の無線受信部３３はそれを受信する。照明器具３の制御部３２はその信号からグループＩＤを抽出し、記憶部３５に書き込む。同図において、照明器具３Ａ〜３Ｌは照明器具３と同一の構成を有し、電気的に直列に接続されている。グループＩＤの割り付けは照明器具３Ａ〜３Ｌの全てに対して実行される。
【００１８】
図６は、全ての照明器具３にグループＩＤが割り付けられ、照明器具３が一例として３つのグループＧ１〜Ｇ３に分けられた状態を示す。照明器具３Ａ、３Ｆ、３Ｇ、３ＬはグループＧ１に、照明器具３Ｂ〜３ＥはグループＧ２に、照明器具３Ｈ〜３ＫはグループＧ３に設定されたものとする。照明器具３は、グループＧ１における照明器具３Ａと３Ｆ、また３Ｇと３Ｌのように、電気的に隣り合っていなくても同じグループに割り付けることができる。
【００１９】
図７は、照明器具３Ｌに人検出プラグ５Ａが取り付けられ、照明器具３Ｊに明るさ検出プラグ５Ｂが取り付けられた状態を示す。図８は、この状態における照明器具３Ｌと、同じグループに属する照明器具３Ｇの各々の制御部３２による点灯制御フローを示す。照明器具３Ｌの制御部３２は人検出プラグ５Ａが取り付けられたとき、まずそれを検出し（Ｓ１０１）、センサ用通信Ｉ／Ｆ部３６から人検出プラグ５Ａに給電し、人検出プラグ５Ａから送出されるセンサタイプ情報Ｄ２を取得する（Ｓ１０２）。
【００２０】
照明器具３Ｌの制御部３２は、取得したセンサタイプ情報Ｄ２を記憶部３５に格納すると共に、そのセンサタイプ情報Ｄ２と自器具のグループＩＤとを他の照明器具３へ送信する（Ｓ１０３）。制御部３２は、センサタイプ情報Ｄ２に対応する制御プログラムを記憶部３５を参照して選択する（Ｓ１０４）。
【００２１】
他の照明器具３Ｇの制御部３２は、上述のセンサタイプ情報Ｄ２及びグループＩＤを受信したとき（Ｓ２０１）、受信したグループＩＤと自器具のグループＩＤとを比較し、それらが一致する場合、受信したセンサタイプ情報Ｄ２を記憶部３５に格納する。また、制御部３２は、センサタイプ情報Ｄ２に対応する制御プログラムを記憶部３５を参照して選択する（Ｓ２０２）。このようにして、グループＧ１の照明器具３の制御部３２は同じ制御プログラムを選択することになる。
【００２２】
人検出プラグ５Ａが人を検出したとき（Ｓ１０５でＹｅｓ）、照明器具３Ｌの制御部３２は、グループＩＤと人検出情報とを他の照明器具３に送出する（Ｓ１０６）。また、制御部３２は、選択した制御プログラムに基づいて動作し、人検出情報に応じた光源３０の点灯制御を行う（Ｓ１０７）。人検出プラグ５Ａが人を検出しない間（Ｓ１０５でＮｏ）、照明器具３Ｌは待機状態となる。
【００２３】
他の照明器具３の制御部３２は、上述のグループＩＤ及び人検出情報を受信したとき（Ｓ２０３）、受信したグループＩＤと自器具のグループＩＤとを比較し、それらが一致する場合、上述の選択した制御プログラムに基づいて動作し、人検出情報に応じた光源３０の点灯制御を行う（Ｓ２０４）。
【００２４】
なお、照明器具３Ａ、３Ｆも上述の照明器具３Ｇと同じ動作をする。また、明るさ検出プラグ５Ｂが照明器具３Ｊに取り付けられたグループＧ３においても、明るさ検出プラグ５Ｂのセンサタイプ情報及び明るさ検出情報とに基づいて同様の制御が行われる。プラグインセンサ５が接続されなかったグループＧ２では、ユーザにより操作された照明器具３が照明器具３Ｊ、３Ｌのように動作して、その操作情報を他の照明器具３に送信し、グループ２内の全照明器具３はその操作情報に基づいて連動する。
【００２５】
本実施形態において、各グループ内の少なくとも１台の照明器具３に、各グループに予めユーザが設定しようとするものに対応した点灯設定情報すなわちセンサタイプ情報Ｄ１を持つプラグインセンサ５が取り付けられると、そのプラグインセンサ５による検出情報及びセンサタイプ情報Ｄ１は同じグループ内の他の照明器具３に送信される。このため、プラグインセンサ５を全照明器具３に取り付ける必要がなく、製造コストを抑えることができる。しかも、複数の照明器具３をグループ毎に異なる複数種類の周囲環境に応じて点灯制御することができる。
【００２６】
また、照明器具３へのグループ割付はリモコン４を用いて行えるので、個々の照明器具３のスイッチ等を操作してグループ割付する場合と比べ、作業は簡単である。
【００２７】
なお、本発明は、上記の実施形態の構成に限定されるものでなく、使用目的に応じ、様々な変形が可能である。例えば、通信Ｉ／Ｆ部３４及びセンサ用通信Ｉ／Ｆ部３６は、Ｅｔｈｅｒｎｅｔ規格に準拠し通信線２としてＬＡＮケーブルを用いる通信回路、又は無線ＬＡＮ規格に準拠し通信線２として無線ＬＡＮを用いる通信回路であってもよいし、特定のシステムに特化した専用通信規格に準拠するように構成されていてもよい。
【図面の簡単な説明】
【００２８】
【図１】本発明の一実施形態に係る照明システムの構成図。
【図２】上記システムの照明器具、リモコン及びプラグインセンサの各々の構成図。
【図３】（ａ）は上記プラグインセンサの一例を示す構成図、（ｂ）は上記とは別の例を示す構成図。
【図４】（ａ）は上記プラグインセンサが取り付けられたときの照明器具の斜視図、（ｂ）はその拡大斜視図。
【図５】上記照明器具が初期設定されるときの様子を示す平面図。
【図６】上記照明器具へのグループ割付例を示す平面図。
【図７】上記グループ割付後の照明器具に対する人検出プラグ及び明るさ検出プラグの取り付け例を示す平面図。
【図８】上記照明器具の１つ及びそれとは異なる１つの制御部による点灯制御のフローチャート。
【符号の説明】
【００２９】
１  照明システム
２  通信線
３  照明器具
４  リモコン
５  プラグインセンサ
Ｄ１〜Ｄ３  センサタイプ情報（点灯設定情報）
Ｇ１〜G３  グループ
【図１】
2009238527.tif 000003
【図２】
2009238527.tif 000004
【図３】
2009238527.tif 000005
【図４】
2009238527.tif 000006
【図５】
2009238527.tif 000007
【図６】
2009238527.tif 000008
【図７】
2009238527.tif 000009
【図８】
2009238527.tif 000010